【事件の表示】
　特許第３０２２１４４号「液晶プロジェクタ」の請求項１、２に係る特許に対する特許異議の申立てについて、次のとおり決定する。
【結　論】
　訂正を認める。
　特許第３０２２１４４号の請求項１、２に係る特許を維持する。
【理　由】
１．手続の経緯
　特許第３０２２１４４号の請求項１，２に係る発明についての出願は、平成６年４月７日に特許出願され、平成１２年１月１４日にその発明について特許権の設定登録がなされ、その後、その特許について、特許異議申立人原田清悟により特許異議の申立てがなされ、取消しの理由が通知され、その指定期間内である平成１３年１月２３日に訂正請求がなされたものである。
２．訂正の適否についての判断
（１）訂正の内容
　特許権者が求めている訂正の内容は以下ａ〜ｄのとおりである。
ア．訂正事項ａ
　特許請求の範囲の請求項１、７行目「熱を液晶プロジェクタ外へ排出する」とあるのを「熱風を液晶プロジェクタ外へ下向きに方向を変換して排出し、液晶プロジェクタを後部より操作する操作者が熱風を受けることを防ぐ」と訂正し、明細書【００１８】項の５行目乃至６行目「熱を液晶プロジェクタ外へ排出する」とあるのを、「熱風を液晶プロジェクタ外へ下向きに方向変換して排出し、液晶プロジェクタを後部より操作する操作者が熱風を受けることを防ぐ」と訂正し、明細書【００１９】項の７行目乃至８行目「熱を液晶プロジェクタ外へ排出する」とあるのを「熱風を液晶プロジェクタ外へ下向きに方向変換して排出し、液晶プロジェクタを後部より操作する操作者が熱風を受けることを防ぐ」と訂正する。
イ．訂正事項ｂ
　明細書【００２２】第３行目「外部に」とあるのを「外部に下向きに」と訂正する。
ウ．訂正事項ｃ
　明細書【００４８】第８行目、第１０行目「熱」とあるのを「熱風」と訂正する。
エ．訂正事項ｄ
　明細書【００５１】の最後尾に、「更に導風ガイドにより排出された熱風は下方へ排出方向が変換されるから、液晶プロジェクタを操作者が後部より操作する際、操作者が上述の熱風を受けることを防止できる。」と訂正する。
（２）訂正の目的の適否、新規事項の有無及び拡張・変更の存否
　上記訂正事項ａに関連する記載として、願書に添付した明細書の【００４８】欄には、「光源１で発生した熱は、・・・・第１ランプハウス、及び第２ランプハウス１４の外部へ排出（矢印ロ）され、その後クロスフローファン１１にて液晶プロジェクタの外部へ排出（矢印ハ）される。そして、バックカバー１６に設けられた導風ガイド１６Ｂにより排出された熱は下方へ排出方向が変換され、液晶プロジェクタを操作者が後部より操作する際、操作者が上述の熱を受けることを防止する。」と記載されていることから、特許請求の範囲の請求項１の記載において、導風ガイドが「熱風を液晶プロジェクタ外へ下向きに方向を変換して排出し、液晶プロジェクタを後部より操作する操作者が熱風を受けることを防ぐ」ものであるとすることは、特許明細書に記載された事項の範囲内において「ファンにより集められた熱風を液晶プロジェクタ外へ排出する導風ガイド」を限定するものであるから、特許請求の範囲の減縮に該当するものであり、新規事項の追加に該当せず、特許請求の範囲を拡張または変更するものでもない。また、訂正事項ａにおける【発明の詳細な説明】の欄の訂正は、特許請求の範囲の請求項１についての訂正と整合させるように明細書の記載を訂正するものであり、願書に添付した明細書に記載された事項の範囲内のものであるから、明りょうでない記載の釈明に該当し、新規事項の追加に該当せず、特許請求の範囲を拡張または変更するものでもない。
　上記訂正事項ｂは、訂正事項ａと同様に、特許明細書に記載された事項の範囲内において「外部に」を「外部へ下向きに」と訂正するものであるから、不明りょうな記載の釈明に該当し、新規事項の追加に該当せず、特許請求の範囲を拡張または変更するものでもない。
　上記訂正事項ｃは、特許明細書に記載された事項の範囲内において「熱」を「熱風」と訂正するものであるから、不明りょうな記載の釈明に該当し、新規事項の追加に該当せず、特許請求の範囲を拡張または変更するものでもない。
　上記訂正事項ｄは、特許明細書に記載された事項の範囲内において導風ガイドによる作用効果を示したものであるから、不明りょうな記載の釈明に該当し、新規事項の追加に該当せず、特許請求の範囲を拡張または変更するものでもない。
（３）結論
　したがって、上記訂正は、特許法第１２０条の４第２項の規定及び同条第３項で準用する第１２６条第２項、第３項の規定に適合するので、当該訂正を認める。
３．特許異議申立てについて
ア．本件発明
　特許第３０２２１４４号の請求項１及び請求項２に係る発明は、平成１３年１月２３日付け訂正請求書により訂正された明細書の特許請求の範囲の請求項１及び請求項２に各々記載された次のとおりのものである。
　「【請求項１】入力された映像信号を光変調する液晶パネルと、放熱するための切り欠き部を有する反射板とランプとからなり、前記液晶パネルへ光を供給する光源と、前記液晶パネルにより変調された光を投射する投射レンズと、前記光源を構成する反射板の切り欠け部を介して発生する熱を冷却するファンと、該ファンにより集められた熱風を液晶プロジェクタ外へ下向きに方向を変換して排出し、液晶プロジェクタを後部より操作する操作者が熱風を受けることを防ぐ導風ガイドとを有する冷却手段とから構成されることを特徴とする液晶プロジェクタ。
　【請求項２】前記ファンは、クロスフローファンであることを特徴とする請求項１記載の液晶プロジェクタ。」
イ．申立ての理由の概要
　特許異議申立人原田清悟は、甲第１、２号証及び参考資料１〜３を提出して、本件の請求項１に係る発明は、甲第１号証刊行物に記載された発明であるから特許法第２９条第１項第３号の規定により特許を受けることができず、また、甲第１号証刊行物に記載された発明に基づいて当業者が容易に発明をすることができたものであるから、特許法第２９条第２項の規定により特許を受けることができず、さらに、請求項２に係る発明は甲第１号証刊行物及び甲第２号証刊行物に記載された発明に基づいて容易に発明をすることができたものであるから、特許法第２９条第２項の規定により特許を受けることができない旨主張する。
.ウ．刊行物に記載された発明
　特許異議申立人が甲第１、２号証として提出した刊行物には以下のようなことが記載されている。
刊行物１：特開平６−５９２３８号公報（甲第１号証）
　「【産業上の利用分野】本発明は、光源によって加熱された空気を外部へ排出して光源を冷却する光源冷却装置に関し、特に液晶プロジェクタなどの投写形表示装置に使用される光源冷却装置に関する。」（段落【０００１】）
　「したがって本発明の目的は、外部に不要光が漏れるのを防止するとともに、吸引効率を向上させ騒音を低減することができる光源冷却装置を提供することである。」（段落【０００９】）
　「【実施例】図１は、本発明の一実施例である光源冷却装置１を簡略化した断面図である。本実施例においては、光源冷却装置１は投写形表示装置である液晶プロジェクタ１０の一部としてケーシング２内に収容される。液晶プロジェクタ１０は、後述の光源３からの光源光４ａを図示しない液晶部へ投射し、カラー映像を形成して、投写レンズ５によってスクリーン６上に写し出すものである。」（段落【００１２】）
　「ケーシング２内には、光源光４ａを発生させるための光源３と、光源３からの光源光４ａのうちＲＧＢ光４ｂを液晶部へ投射するための反射板７と、反射板７の光源３に対して背後側に設けられ、遮光部８ａと整流部８ｂとから成る遮光整流手段である整流格子８と、整流格子８の光源３に対して背後側に設けられ、ケーシング２内の空気を吸引して外部へ排出する吸引手段である吸引ファン９とが収容される。」（段落【００１３】）
　「・・・この吸引ファン９の駆動によって空気流が発生する。すなわち、ケーシング２の外気が図示しない吸入口を介してケーシング２内に流入して空気流１１ａが発生する。この空気流１１ａは、光源３および反射板７の熱を奪って加熱され、一部は反射板７に形成された図示しない開口部を介して空気流１１ｂとして整流格子８へ流入する。また、加熱された空気流１１ａの残部は、空気流１１ｃとしてケーシング２の内周面と反射板７の周端部７ｂとの間隙を通過して整流格子８へ流入する。」【段落００１６】
　「・・・・すなわち、整流格子８の取入口８６から流入する空気流１１ｂ，１１ｃは整流孔８０を通過する間に整流されるとともに整流格子８の熱を吸収して、空気流１１ｄとして吸引ファン９へ流出し、図１に示すように吸引ファン９の駆動によって強制的に排出されて空気流１１ｅを発生させる。」（段落【００２０】）
　以上の記載からすれば、刊行物１には、「液晶部と、液晶部へ光を投射する光源および開口部を有する反射板と、液晶部の画像をスクリーン上に写し出す投写レンズと、光源および反射板の熱を奪うように空気流を発生させ整流格子を経由して外部へ排出する吸引ファンとを有する液晶プロジェクタ」が記載されているものと認められる。
刊行物２：特開平４−２３６５８７号公報（甲第２号証）
　「本発明は・・・・３つの液晶パネルを効率よく冷却することができる冷却機構を有する投影型映像表示装置を提供することを目的としている。」（段落【０００９】）
　「本実施例に係る投影型映像表示装置は、図外のスクリーンに投影すべき画像が表示される３つの液晶パネル３１Ｒ、３１Ｇ、３１Ｂと、この液晶パネル３１Ｒ、３１Ｇ、３１Ｂに光源光Ｌを投射する光源１０と、前記液晶パネル３１Ｒ、３１Ｇ、３１Ｂを冷却する冷却機構７０とを備えており、前記冷却機構７０はクロスフローファン７１と、このクロスフローファン７１からの冷却風Ｗを液晶パネル３１Ｒ、３１Ｇ、３１Ｂに導く導風板７２とを有している。」（段落【００１２】）
　また特許異議申立人が参考資料１〜３として提出した刊行物３（実願平３−４５５５９号（実開平４−１３０９５３号）のマイクロフィルム）、刊行物４（開平５−１３５７４６号公報）、刊行物５（実願平１−８９９７０号（実開平３−２９９０２号）のマイクロフィルム）には、それぞれ投射型表示装置等の光源装置において、効率的に冷却するためにリフレクタ（反射鏡）の一部をカットした切り欠き部を有するものを用いることが示されているものと認められる。
エ．対比・判断
　本件の請求項１に係る発明（以下、本件第１発明という）と刊行物１に記載された発明とを対比すると、刊行物１に記載のものにおける「液晶部」、「投写レンズ」、「吸引ファン」はそれぞれ本件第１発明における「液晶パネル」、「投射レンズ」、「ファン」に相当し、刊行物１に記載のものにおける「液晶部へ光を投射する光源および反射板」は本件第１発明における「反射板とランプとからなり、液晶パネルへ光を供給する光源」に相当するものであり、また、刊行物１に記載のものにおいて、液晶部が入力された映像信号を光変調するものであることは明らかであるので、本件第１発明と刊行物１に記載された発明とは、「入力された映像信号を光変調する液晶パネルと、反射鏡とランプとからなり、前記液晶パネルへ光を供給する光源と、前記液晶パネルにより変調された光を投射する投射レンズと、ファンを有する冷却手段とから構成される液晶プロジェクタ」である点において共通するが、次の点において相違する。
　ａ．本件第１発明においては、光源の反射鏡が放熱するための切り欠き部を有し、この切り欠き部を介して発生する熱をファンにより冷却するのに対して、刊行物１に記載のものにおいては、反射板に開口部が形成されているが、特に切り欠き部を有するとはしていない点。
　ｂ．本件第１発明における冷却手段はファンにより集められた熱風を液晶プロジェクタ外へ下向きに方向を変換して排出し、液晶プロジェクタを後部より操作する操作者が熱風を受けることを防ぐ導風ガイドを有するのに対して、刊行物１に記載のものにおいては、空気流が整流格子を経由して外部に排出されるが、その際に空気流を下向きに方向を変換して排出し、液晶プロジェクタを後部より操作する操作者が熱風を受けることを防ぐ導風ガイドを有していない点。
　ところで、上記相違点のうち、相違点ｂについては、刊行物２〜５のいずれにも記載されていず、また示唆するところもない。　この点に関し、特許異議申立人は、「かかる導風ガイドの構成は、液晶プロジェクタを具体化する際に操作者や視聴者に配慮して行った設計的事項以外の何ものでもない」旨主張するが、液晶プロジェクタに関してそのような配慮が通常なされているということの根拠は特に示されていず、また、そのような操作者や視聴者に対する配慮に応じた導風ガイドの構成の有意性を否定する具体的根拠もないので、この主張は妥当ではない。
　本件第１発明は、この相違点ｂを含む構成とすることにより、明細書に記載の格別な効果を奏するものであるから、刊行物１に記載された発明ではなく、また刊行物１〜５に記載された発明に基づいて容易に発明をすることができたものでもない。
　また、本件の請求項２に係る発明（以下、本件第２という）は、本件第１発明のファンをクロスフローファンとしたものであるから、本件第１発明と同様の理由により、刊行物１〜５に記載された発明に基づいて容易に発明をすることができたものではない。
オ．むすび
　以上のとおりであるから、特許異議申立の理由及び証拠によっては、本件第１発明及び本件第２発明の特許を取り消すことはできない。
　また、他に本件第１発明及び本件第２発明についての特許を取り消すべき理由を発見しない。
　よって、結論のとおり決定する。
【異議決定日】
平成１３年３月２３日（２００１．３．２３）
【訂正の要旨】
訂正の要旨
１．訂正事項ａ
　特許請求の範囲の請求項１、７行目「熱を液晶プロジェクタ外へ排出する」とあるのを「熱風を液晶プロジェクタ外へ下向きに方向を変換して排出し、液晶プロジェクタを後部より操作する操作者が熱風を受けることを防ぐ」と訂正し、明細書【００１８】項の５行目乃至６行目「熱を液晶プロジェクタ外へ排出する」とあるのを、「熱風を液晶プロジェクタ外へ下向きに方向変換して排出し、液晶プロジェクタを後部より操作する操作者が熱風を受けることを防ぐ」と訂正し、明細書【００１９】項の７行目乃至８行目「熱を液晶プロジェクタ外へ排出する」とあるのを「熱風を液晶プロジェクタ外へ下向きに方向変換して排出し、液晶プロジェクタを後部より操作する操作者が熱風を受けることを防ぐ」と訂正する。
２．訂正事項ｂ
　明細書【００２２】第３行目「外部に」とあるのを「外部に下向きに」と訂正する。
３．訂正事項ｃ
　明細書【００４８】第８行目、第１０行目「熱」とあるのを「熱風」と訂正する。
４．訂正事項ｄ
　明細書【００５１】の最後尾に、「更に導風ガイドにより排出された熱風は下方へ排出方向が変換されるから、液晶プロジェクタを操作者が後部より操作する際、操作者が上述の熱風を受けることを防止できる。」と訂正する。
（５４）【発明の名称】
液晶プロジェクタ
（５７）【特許請求の範囲】
　【請求項１】　入力された映像信号を光変調する液晶パネルと、放熱するための切り欠き部を有する反射板とランプとからなり、前記液晶パネルへ光を供給する光源と、前記液晶パネルにより変調された光を投射する投射レンズと、前記光源を構成する反射板の切り欠け部を介して発生する熱を冷却するファンと、該ファンにより集められた熱風を液晶プロジェクタ外へ下向きに方向を変換して排出し、液晶プロジェクタを後部より操作する操作者が熱風を受けることを防ぐ導風ガイドとを有する冷却手段とから構成されることを特徴とする液晶プロジェクタ。
　【請求項２】　前記ファンは、クロスフローファンであることを特徴とする請求項１記載の液晶プロジェクタ。
【発明の詳細な説明】
　【０００１】
　【産業上の利用分野】本発明は、映像信号に応じて光源からの光を液晶パネルにより光変調し、光変調された光を投射レンズを介して拡大表示する液晶プロジェクタに関するものである。
　【０００２】
　【従来の技術】従来この種装置としては、液晶パネルを３枚使用した液晶プロジェクタ（以下、３板式液晶プロジェクタと略す）が一般的であり、以下３板式液晶プロジェクタについて説明を行う。
　【０００３】
　図６は、一般的な液晶プロジェクタの全体ブロック図である。
　【０００４】
　図６において、光源１から発せられた白色光は、椀状の反射板２により平行光にされ、赤外線カットフィルタ３にて赤外線が除去された後、緑色光分離ダイクロイックミラー４Ｇへ入射される。
　【０００５】
　緑色光分離ダイクロイックミラー４Ｇでは、白色光から緑色光を分離し、この分離された緑色光は反射ミラー５Ａにて反射された後、コンデンサレンズ６Ｇを介して緑色光用液晶パネル７Ｇへ入射する。
　【０００６】
　一方、緑色光分離ダイクロイックミラー４Ｇを通過した赤色光、及び青色光は赤色光分離ダイクロイックミラー４Ｒへ入射する。赤色光分離ダイクロイックミラー４Ｒでは、入射された光から赤色光を分離し、この分離された赤色光はコンデンサレンズ６Ｒを介して赤色光用液晶パネル７Ｒへ入射する。
　【０００７】
　また、赤色光分離ダイクロイックミラー４Ｒを通過した青色光はコンデンサレンズ６Ｂを介して青色光用液晶パネル７Ｂへ入射する。
　【０００８】
　各液晶パネル７Ｇ、７Ｒ、７Ｂでは映像回路（図示せず）からの映像信号により入射された各原色光を光変調する。
　【０００９】
　そして、緑色光用液晶パネル７Ｇにより光変調された緑色光と赤色光用液晶パネル７Ｒにより光変調された赤色光とは、赤色光合成ダイクロイックミラー８Ｒにて合成された後、これらの合成光は青色光合成ダイクロイックミラー８Ｂへ入射される。
　【００１０】
　また、青色光用液晶パネル７Ｂにより光変調された青色光は反射ミラー５Ｂにて反射された後、青色光合成ダイクロイックミラー８Ｂへ入射する。
　【００１１】
　青色光合成ダイクロイックミラー８Ｂでは、先ほどの緑色光と赤色光の合成光と、青色光とが合成され、これらの合成された光が投射レンズ９を介してスクリーン（図示せず）上に拡大表示される。
　【００１２】
　この結果、視聴者はスクリーン上に拡大表示された映像を観察することができる。
　【００１３】
　ところで、一般に液晶プロジェクタの光源は高熱を発生し、この熱により光源のランプの寿命劣化となる。このため、図７に示す如く、従来より光源の冷却を目的とした軸流ファン１０がその側面に設けられている。
　【００１４】
　尚、図７は液晶プロジェクタの光源付近の拡大断面図である。
　【００１５】
　図７において、光源により発生した熱Ａ、及び各液晶パネル、若しくは赤外線カットフィルタにより発生した熱Ｂは、軸流ファン１０により液晶プロジェクタの外部に排出していた。
　【００１６】
　【発明が解決しようとする課題】
　しかしながら、上述の従来技術では光源により発生する熱Ｃに対しては十分に液晶プロジェクタの外部に排出することができなかった。また、光源を構成する反射板が椀形状となっているため、光源により発生した熱は反射板の内部にこもりやすく、熱を効率的に液晶プロジェクタの外部に排出することは困難であった。
　【００１７】
　本発明は、上述の欠点に鑑みなされたものであり、簡単な構成で効率的な冷却手段を有する液晶プロジェクタを提供するものである。
　【００１８】
　【課題を解決するための手段】
　本発明は、入力された映像信号を光変調する液晶パネルと、該液晶パネルへ光を供給する光源と、前記液晶パネルにより変調された光を投射する投射レンズと、前記光源により発生する熱を冷却するファンと、該ファンにより集められた熱風を液晶プロジェクタ外へ下向きに方向を変換して排出し、液晶プロジェクタを後部より操作する操作者が熱風を受けることを防ぐ導風ガイドとを有する冷却手段とから構成されることを特徴とする液晶プロジェクタである。
　【００１９】
　また、本発明は、入力された映像信号を光変調する液晶パネルと、放熱するための切り欠き部を有する反射板とランプとからなり、前記液晶パネルへ光を供給する光源と、前記液晶パネルにより変調された光を投射する投射レンズと、前記光源を構成する反射板の切り欠け部を介して発生する熱を冷却するファンと、該ファンにより集められた熱風を液晶プロジェクタ外へ下向きに方向を変換して排出し、液晶プロジェクタを後部より操作する操作者が熱風を受けることを防ぐ導風ガイドとを有する冷却手段とから構成されることを特徴とする液晶プロジェクタである。
　【００２０】
　【作用】
　本発明は上述の如く構成することにより、光源により発生した熱Ａ、及び赤外線カットフィルタ、若しくは液晶パネルにより発生した熱Ｂは軸流ファンにより液晶プロジェクタの外部に排出される。
　【００２１】
　一方、光源より発生した熱Ｃは液晶プロジェクタの後部に配置されたクロスフローファンにより液晶プロジェクタの外部に排出される。
　【００２２】
　更に、光源を構成する反射板の上下に切り欠け部を設け、この切り欠け部より反射板内にこもっていた熱が効率的に液晶プロジェクタの外部へ下向きに排出される。
　【００２３】
　【実施例】
　以下、図面に従い、本発明液晶プロジェクタの１実施例を説明する。
　【００２４】
　図１は、本発明液晶プロジェクタの全体ブロック図である。
　【００２５】
　図１において、光源１から発せられた白色光は、椀状の反射板２により平行光にされ、赤外線カットフィルタ３にて赤外線が除去された後、緑色光分離ダイクロイックミラー４Ｇへ入射される。
　【００２６】
　緑色光分離ダイクロイックミラー４Ｇでは、白色光から緑色光を分離し、この分離された緑色光は反射ミラー５Ａにて反射された後、コンデンサレンズ６Ｇを介して緑色光用液晶パネル７Ｇへ入射する。
　【００２７】
　一方、緑色光分離ダイクロイックミラー４Ｇを通過した赤色光、及び青色光は赤色光分離ダイクロイックミラー４Ｒへ入射する。赤色光分離ダイクロイックミラー４Ｒでは、入射された光から赤色光を分離し、この分離された赤色光はコンデンサレンズ６Ｒを介して赤色光用液晶パネル７Ｒへ入射する。
　【００２８】
　また、赤色光分離ダイクロイックミラー４Ｒを通過した青色光はコンデンサレンズ６Ｂを介して青色光用液晶パネル７Ｂへ入射する。
　【００２９】
　各液晶パネル７Ｇ、７Ｒ、７Ｂでは映像回路（図示せず）からの映像信号により入射された各原色光を光変調する。
　【００３０】
　そして、緑色光用液晶パネル７Ｇにより光変調された緑色光と赤色光用液晶パネル７Ｒにより光変調された赤色光とは、赤色光合成ダイクロイックミラー８Ｒにて合成された後、これらの合成光は青色光合成ダイクロイックミラー８Ｂへ入射される。
　【００３１】
　また、青色光用液晶パネル７Ｂにより光変調された青色光は反射ミラー５Ｂにて反射された後、青色光合成ダイクロイックミラー８Ｂへ入射する。
　【００３２】
　青色光合成ダイクロイックミラー８Ｂでは、先ほどの緑色光と赤色光の合成光と、青色光とが合成され、これらの合成された光が投射レンズ９を介してスクリーン（図示せず）上に拡大表示される。
　【００３３】
　この結果、視聴者はスクリーン上に拡大表示された映像を観察することができる。
　【００３４】
　ここで、光源を構成する反射板２の上部には切り欠け部２Ａが設けられており、この切り欠け部２Ａを介して反射板内部の熱が反射板の外部に排出される。
　【００３５】
　また、液晶プロジェクタの側面に配置された軸流ファン１０以外に、光源の後部にクロスフローファン１１が配置されており、このクロスフローファン１１により熱が液晶プロジェクタの外部に排出される。
　【００３６】
　次に、図２〜図５を用いて本発明液晶プロジェクタにおける熱排出構造、及び動作について説明する。
　【００３７】
　尚、図２は本発明液晶プロジェクタの光源付近の上面拡大断面図であり、図３は本発明液晶プロジェクタの光源付近の側面拡大断面図である。
　【００３８】
　また、図４は光源を構成する反射板の斜視図、図５はその開口側から見た正面図である。
　【００３９】
　光源１は、ランプ１２と反射板２とから構成されており、ランプ１２と反射板２とは光源を交換する際に使用する取っ手１３Ｂを有する第１ランプハウス１３に取り付けられ、この第１ランプハウス１３は液晶プロジェクタ本体側に設けられた第２ランプハウス１４に収納され、第２ランプハウス１４に対してスライド可能な構造になっている。また、第２ランプハウス１４は赤外線カットフィルタ３を固定するブラケット１５に固定されていることから、第２ランプハウス１３は液晶プロジェクタ本体の特定場所に精度良く取り付けられている。
　【００４０】
　また、第１ランプハウス１３、及び第２ランプハウス１４の上下面にはそれぞれ開口１３Ａ、１４Ａが設けられており、この開光１３Ａ、１４Ａを介して光源１内の熱が第１ランプハウス１３、及び第２ランプハウス１４の外部へ排出される。
　【００４１】
　このため、液晶プロジェクタ内部の空気は、図３の矢印イ、ロに示す如く、第１ランプハウス１３、及び第２ランプハウス１４の下部開口から反射板２Ａの内部、第１ランプハウス１３、及び第２ランプハウス１４の上部開口を介して第１ランプハウス１３、及び第２ランプハウス１４の外部へ排出される。
　【００４２】
　次に、液晶プロジェクタ本体の後面にはクロスフローファン１１が取り付けられおり、このクロスフローファン１１により液晶プロジェクタ本体内部の熱が、図３の矢印ハに示す如く、液晶プロジェクタの外部へ排出される。
　【００４３】
　ところで、液晶プロジェクタの後面は光源１１を取り出すための開口を有しており、この開口にバックカバー１６が取り付けられている。このバックカバー１６はクロスフローファン１１から排出された熱を外部に排出する開口１６Ａ、及び排出された熱を下方に導く導風ガイド１６Ｂとが設けられている。
　【００４４】
　この導風ガイド１６Ｂは、図３に示す如く、開口１６Ａの寸法Ｃよりも十分大きく（具体的には３〜４ｃｍ）することにより、開口１６Ａより光源１からの光が開口１６Ａを介して外部に漏れるのを防止する。また、バックカバー１６の熱導風スペースＤは、２〜３ｃｍ程度必要であり、これ以下であると熱冷却効果が損なわれることになる。
　【００４５】
　このため、クロスフローファン１１により液晶プロジェクタ外部に排出された熱は、図３の矢印ニに示す如く、導風ガイド１６Ｂにより下方に熱の排出方向が変換される。
　【００４６】
　また、本発明液晶プロジェクタでは、クロスフローファン１１による排出する方式に加え、軸流ファン１０により液晶プロジェクタの側面方向へ熱を排出している。
　【００４７】
　更に、液晶パネルを冷却するための吸い込みファン（図示せず）を使用することにより効率的な熱の排出を行うことができる。つまり、吸い込むファンにより取り込まれた外気は上述の光源冷却用ファン、つまりクロスフローファン１１、及び軸流ファン１０により、図３の矢印チの如く、液晶プロジェクタ内部に外気が取り込まれ、矢印リ、ホ、へ、ト、あるいは矢印リ、ホ、ロ、ハ、二という流路で液晶プロジェクタ内の空気が循環され、液晶プロジェクタ本体内の空気を外部へ流出でき、効率的に熱の排出を行うことができる。
　【００４８】
　このようにして、光源１で発生した熱は、反射板２の切り欠け部２Ａ、及び第１ランプハウス１３、及び第２ランプハウス１４の開口１３Ａ、１４Ａを介して第１ランプハウス、及び第２ランプハウス１４の外部へ排出（矢印ロ）され、その後クロスフローファン１１にて液晶プロジェクタの外部へ排出（矢印ハ）される。そして、バックカバー１６に設けられた導風ガイド１６Ｂにより排出された熱風は下方へ排出方向が変換され、液晶プロジェクタを操作者が後部より操作する際、操作者が上述の熱風を受けることを防止する。
　【００４９】
　また、バックカバー１６に設けられた開口１６Ａの寸法Ｃよりも導風ガイド１６Ｂの寸法Ｂを長くすることにより、開口１６Ａを介して漏れる光を遮断でき、液晶プロジェクタを視聴する際の、不快感を防止することができる。
　【００５０】
　【発明の効果】
　本発明は、上述の如く構成することにより、光源より発生する熱を完全に液晶プロジェクタの外部に排出することができ、液晶パネル、及び光源の劣化を押さえることができる。
　【００５１】
　また、本発明は、導風ガイドにより、液晶プロジェクタの操作者が熱を受けるのを防止できるばかりか、光源から発生する光が液晶プロジェクタの外部に漏れるのを防止でき、視聴者に不快感を与えることがない。
　更に、導風ガイドにより排出された熱風は下方へ排出方向が変換されるから、液晶プロジェクタを操作者が後部より操作する際、操作者が上述の熱風を受けることを防止できる。
【図面の簡単な説明】
　【図１】
　本発明液晶プロジェクタのブロック図である。
　【図２】
　本発明液晶プロジェクタの光源付近の上面拡大断面図である。
　【図３】
　本発明液晶プロジェクタの光源付近の側面拡大断面図である。
　【図４】
　光源を構成する反射板の斜視図である。
　【図５】
　光源を構成する反射板を開口側から見た正面図である。
　【図６】
　従来の液晶プロジェクタのブロック図である。
　【図７】
　従来の液晶プロジェクタの光源付近の側面拡大断面図である。
　【符号の説明】
１　　光源
２　　反射板
２Ａ　切り欠け部
３　　赤外線カットフイルタ
７Ｒ　赤色用液晶パネル
７Ｇ　緑色用液晶パネル
７Ｂ　青色用液晶パネル
１０　　軸流ファン
１１　　クロスフローファン
１６　　バックカバー
１６Ｂ　導風ガイド